(57)【要約】      （修正有）【課題】ロッカーなどの家具その他の壁面に、工具無しで着脱が可能な小物入れを提供する。【解決手段】小物入れ１０１は、取り付け板、容器１、及びタオル掛け３を有する。取り付け板は、取り付け対象となる壁面に、ネジ止め又は両面粘着テープにより取り付け可能である。容器は、小物を収容可能であり、背面に取り付け板を受け入れる後退部を有し、後退部の左右両端部に、取り付け板の左右両端部を下方から受け入れ、かつ着脱可能に係合する溝を、さらに有している。タオル掛けは、容器本体２６の下方に位置し、前向きと下向きとの間で回動可能なように、容器に支持される。【選択図】図１
0003228505.tif 000002
【実用新案登録請求の範囲】
【請求項１】
取り付け対象となる壁面に、ネジ止め又は両面粘着テープにより取り付け可能な取り付け板と、
小物を収容可能であり、背面に前記取り付け板を受け入れる後退部を有し、当該後退部の左右両端部に、前記取り付け板の左右両端部を下方から受け入れ、かつ着脱可能に係合する溝をさらに有する、容器と、を備える小物入れ。
【請求項２】
前記取り付け板は、背面が平坦であり、前面にリブが縦横に配置されており、ネジ止め用の複数の孔が設けられている、請求項１に記載の小物入れ。
【請求項３】
前記後退部の前記左右両端部の前記溝と、当該溝に係合する前記取り付け板の前記左右両端部は、上端から下端に至るほど、それぞれの左右の間隔が広い、請求項１又は２に記載の小物入れ。
【請求項４】
前記容器に連結し当該容器の下方に、タオルを掛けることを可能にするタオル掛けを、さらに備える、請求項１から３のいずれかに記載の小物入れ。
【請求項５】
前記タオル掛けは、
左右に延びる棒状体と、
前記棒状体の左右両端部に先端部が連結し、前記棒状体を支持する一対の腕部と、を有し、
前記容器は、
容器本体と、
前記容器本体の底面の左右両端部から下方に突出し、前記一対の腕部の基端部を回動自在に支持する一対の支持部材を有し、
それにより、前記タオル掛けは、前記一対の腕部の前記先端部が前記基端部の下方に位置する下方姿勢と、前方に位置する前方姿勢との間で回動可能である、請求項４に記載の小物入れ。
【請求項６】
前記一対の腕部と前記容器は、前記タオル掛けが前記前方姿勢を保持するように、前記一対の腕部を解除可能に保持するスナップフィット構造を有する、請求項５に記載の小物入れ。
【請求項７】
前記一対の腕部は、第１の突起を有し、
前記一対の支持部材は、前記タオル掛けが前記下方姿勢から前記前方姿勢に移るように回動するときに、前記第１の突起を下端から受け入れる切り欠きを有し、
前記切り欠きは、前記第１の突起と係合することにより、前記タオル掛けを前記前方姿勢に、前記棒状体を回動させる手指の力により解除可能に係止する係合部を有する、請求項６に記載の小物入れ。
【請求項８】
前記一対の腕部と前記容器は、前記タオル掛けが前記下方姿勢を保持するように、前記一対の腕部を解除可能に保持する別のスナップフィット構造を有する、請求項５から７のいずれかに記載の小物入れ。
【請求項９】
前記容器と前記一対の腕部とは、第２の突起と当該第２の突起を受け入れる凹陥部とのうち、一方と他方とを、それぞれ有し、
前記第２の突起と前記凹陥部とは、互いに係合することにより、前記タオル掛けを前記下方姿勢に、前記棒状体を回動させる手指の力により解除可能に係止する、請求項８に記載の小物入れ。
【請求項１０】
前記容器は、前記タオル掛けが前記下方姿勢を超えて後方に回動しないように、前記一対の腕部を制止する制止部材を、さらに有する、請求項５から９のいずれかに記載の小物入れ。
【請求項１１】
前記一対の支持部材は、前記タオル掛けが前記前方姿勢にある状態で、前記容器が水平面に置かれたときに、下端縁が当該水平面に接して前記容器を支持する形状である、請求項５から１０のいずれかに記載の小物入れ。
【請求項１２】
前記タオル掛けは、前記棒状体にスライド可能に取り付けられたクリップを、さらに有し、
前記クリップは、
前記棒状体にスライド可能に取り付けられたクリップ基部と、
前記クリップ基部から前記棒状体に沿って伸びるクリップ腕部と、を有し、
前記クリップ腕部は、前記クリップ基部に連結する基端部位と、前記クリップ基部から最も遠い先端部位とのいずれよりも、それらの中間部において、前記棒状体との距離が小さい、請求項５から１１のいずれかに記載の小物入れ。
【請求項１３】
前記タオル掛けの前記棒状体は、前記クリップが中心軸周りに回転するのを妨げる断面形状を有する、請求項１２に記載の小物入れ。
【考案の詳細な説明】
【技術分野】
【０００１】
本考案は、ロッカーなどの家具の内壁面などに取り付けて使用することが可能な小物入れに関する。
【背景技術】
【０００２】
従来より、天井又は床に仕切を設けることにより、小型のバッグ、靴などを置いておくことを可能にしたロッカーが知られる。特許文献１に開示されるロッカーも、その一種である。また、財布、眼鏡、腕時計、携帯電話などの小物を置いておくための小物入れが、内壁に取り付けられたロッカーも見られる。しかし、小物入れがあるロッカーにおいても、小物入れはネジによりロッカー内壁に固定されており、不要なときに、工具無しで容易に取外したり、必要なときに再装着したりできるようにはなっていない。
【先行技術文献】
【特許文献】
【０００３】
【特許文献１】特開２００１−３７５５７号公報
【考案の概要】
【考案が解決しようとする課題】
【０００４】
本考案は上記の問題点に鑑みてなされたもので、ロッカーなどの家具その他の壁面に、工具無しで着脱が可能な小物入れを提供することを目的とする。
【課題を解決するための手段】
【０００５】
上記課題を解決し上記目的を達成するために、本考案のうち第１の態様によるものは、小物入れであって、取り付け板と、容器と、を備えている。取り付け板は、取り付け対象となる壁面に、ネジ止め又は両面粘着テープにより取り付け可能である。容器は、小物を収容可能であり、背面に前記取り付け板を受け入れる後退部を有し、当該後退部の左右両端部に、前記取り付け板の左右両端部を下方から受け入れ、かつ着脱可能に係合する溝をさらに有している。
【０００６】
この構成によれば、例えばロッカーなどの家具の内壁面、建物の内壁面などの壁面に、設置可能な小物入れが実現する。また、小物入れが不要なときには、壁面から出っ張る容器を、取り付け板から取り外しておくことができ、必要なときに取り付けることが可能である。装着及び脱着には、容器を取り付け板に対してスライドさせれば足り、工具を要しない。
【０００７】
本考案のうち第２の態様によるものは、第１の態様による小物入れであって、前記取り付け板は、背面が平坦であり、前面にリブが縦横に配置されており、ネジ止め用の複数の孔が設けられている。
【０００８】
この構成によれば、取り付け板を、複数の孔にネジを通すことにより壁面にネジ止めすることも、平坦な背面に両面粘着テープを貼着したり、接着剤を塗布したりすることにより、壁面に貼り付けることもできる。また、前面にリブが縦横に配置されているので、リブの間に磁石を配置することにより、取り付け板を冷蔵庫の壁面などの磁性体の壁に、磁力により吸着させることも可能である。また、前面にリブが縦横に配置されているので、取り付け板は剛性を保ちつつ軽量化される。
【０００９】
本考案のうち第３の態様によるものは、第１又は第２の態様による小物入れであって、前記後退部の前記左右両端部の前記溝と、当該溝に係合する前記取り付け板の前記左右両端部は、上端から下端に至るほど、それぞれの左右の間隔が広い。
この構成によれば、取り付け板への容器の装着及び脱着が容易に行い得る。
【００１０】
本考案のうち第４の態様によるものは、第１から第３のいずれかの態様による小物入れであって、前記容器に連結し当該容器の下方に、タオルを掛けることを可能にするタオル掛けを、さらに備えている。
この構成によれば、容器と干渉することなく、タオル、ネクタイなどを掛けておくことが可能となる。
【００１１】
本考案のうち第５の態様によるものは、第４の態様による小物入れであって、前記タオル掛けは、左右に延びる棒状体と、前記棒状体の左右両端部に先端部が連結し、前記棒状体を支持する一対の腕部と、を有している。また、前記容器は、容器本体と、前記容器本体の底面の左右両端部から下方に突出し、前記一対の腕部の基端部を回動自在に支持する一対の支持部材を有している。それにより、前記タオル掛けは、前記一対の腕部の前記先端部が前記基端部の下方に位置する下方姿勢と、前方に位置する前方姿勢との間で回動可能である。
【００１２】
この構成によれば、小物入れを使用するときには、タオル掛けが下方姿勢を取るようにして、タオル等を掛け易くし、小物入れが不要なときには、容器を取り付け板から取り外しておくとともに、タオル掛けが前方姿勢を取るようにして、タオル掛けが付随する容器を、嵩張らずに収納することが可能となる。
【００１３】
本考案のうち第６の態様によるものは、第５の態様による小物入れであって、前記一対の腕部と前記容器は、前記タオル掛けが前記前方姿勢を保持するように、前記一対の腕部を解除可能に保持するスナップフィット構造を有している。
【００１４】
この構成によれば、容器を収納するときに、タオル掛けの回動位置が安定する。
【００１５】
本考案のうち第７の態様によるものは、第６の態様による小物入れであって、前記一対の腕部は、第１の突起を有している。また、前記一対の支持部材は、前記タオル掛けが前記下方姿勢から前記前方姿勢に移るように回動するときに、前記第１の突起を下端から受け入れる切り欠きを有している。そして、前記切り欠きは、前記第１の突起と係合することにより、前記タオル掛けを前記前方姿勢に、前記棒状体を回動させる手指の力により解除可能に係止する係合部を有している。
【００１６】
この構成によれば、タオル掛けを前方姿勢に保持するスナップフィット構造が、簡素な構成により実現する。
【００１７】
本考案のうち第８の態様によるものは、第５から第７のいずれかの態様による小物入れであって、前記一対の腕部と前記容器は、前記タオル掛けが前記下方姿勢を保持するように、前記一対の腕部を解除可能に保持する別のスナップフィット構造を有している。
【００１８】
この構成によれば、小物入れを使用するときに、タオル掛けの回動位置が安定する。
【００１９】
本考案のうち第９の態様によるものは、第８の態様による小物入れであって、前記容器と前記一対の腕部とは、第２の突起と当該第２の突起を受け入れる凹陥部とのうち、一方と他方とを、それぞれ有している。そして、前記第２の突起と前記凹陥部とは、互いに係合することにより、前記タオル掛けを前記下方姿勢に、前記棒状体を回動させる手指の力により解除可能に係止する。
【００２０】
この構成によれば、タオル掛けを下方姿勢に保持するスナップフィット構造が、簡素な構成により実現する。
【００２１】
本考案のうち第１０の態様によるものは、第５から第９のいずれかの態様による小物入れであって、前記容器は、前記タオル掛けが前記下方姿勢を超えて後方に回動しないように、前記一対の腕部を制止する制止部材を、さらに有している。
【００２２】
この構成によれば、タオル掛けが下方姿勢を超えて、無用に後方に回動にすることを回避することができる。
【００２３】
本考案のうち第１１の態様によるものは、第５から第１０のいずれかの態様による小物入れであって、前記一対の支持部材は、前記タオル掛けが前記前方姿勢にある状態で、前記容器が水平面に置かれたときに、下端縁が当該水平面に接して前記容器を支持する形状である。
【００２４】
この構成によれば、容器を取り付け板から取り外し、かつ、タオル掛けを前方姿勢を取るようにすることにより、容器を机上等に置いて、小物入れとして使用することができる。
【００２５】
本考案のうち第１２の態様によるものは、第５から第１１のいずれかの態様による小物入れであって、前記タオル掛けは、前記棒状体にスライド可能に取り付けられたクリップを、さらに有している。また、前記クリップは、前記棒状体にスライド可能に取り付けられたクリップ基部と、前記クリップ基部から前記棒状体に沿って伸びるクリップ腕部と、を有している。そして、前記クリップ腕部は、前記クリップ基部に連結する基端部位と、前記クリップ基部から最も遠い先端部位とのいずれよりも、それらの中間部において、前記棒状体との距離が小さい。
【００２６】
この構成によれば、タオル掛けの棒状体に掛けたタオル等を、クリップに挟んで押さえたり、小物を吊り下げる紐体あるいはリングを、クリップ基部近くのクリップ腕部に吊しておいたりすることができる。
【００２７】
本考案のうち第１３の態様によるものは、第１２の態様による小物入れであって、前記タオル掛けの前記棒状体は、前記クリップが中心軸周りに回転するのを妨げる断面形状を有している。
【００２８】
この構成によれば、タオル掛けの棒状体の周方向に沿ったクリップの位置が定まる。
【考案の効果】
【００２９】
以上のように本考案によれば、ロッカーなどの家具その他の壁面に、工具無しで着脱が可能な小物入れが実現する。
【図面の簡単な説明】
【００３０】
【図１】本考案の一実施の形態による小物入れの外観を示す斜視図である。
【図２】図１の小物入れの底面図である。
【図３】図１の小物入れの背面付近の正面断面図である
【図４】図１の小物入れの取り付け板の斜視図である。
【図５】図４の取り付け板の正面図である。
【図６】図４の取り付け板のＢ−Ｂ断面図である。
【図７】図１の小物入れのタオル掛けの斜視図である。
【図８】図７のタオル掛けの側面図である。
【図９】図１の小物入れの部分拡大側面図である。
【図１０】図１の小物入れのうち、タオル掛けを支持する支持部材の拡大側面図である。
【図１１】図１の小物入れのタオル掛けに装着されたクリップの斜視図である。
【図１２】図１１のクリップの斜視図である。
【図１３】タオル掛けに装着された図１１のクリップの正面図である。
【考案を実施するための形態】
【００３１】
図１は、本考案の一実施の形態による小物入れの外観を示す斜視図である。この小物入れ１０１は、ロッカーなどの家具の内壁面、建物の内壁面などの壁面に、設置できるように構成されている。小物入れ１０１は、容器１及びタオル掛け３を有している。容器１は、財布、眼鏡、腕時計、携帯電話などの小物を置いておくことのできる、上面が開放された容器である。図示例では、容器１は、前後よりも左右に長い略矩形の容器である。容器１は、一例として、一体成型されたプラスチック製である。
【００３２】
タオル掛け３は、容器１の下方に設けられ、タオル、ネクタイなどを掛けておくことを可能にする部材である。タオル掛け３は、容器１に回動可能に連結されており、それにより、前方を向く姿勢（「前方姿勢」と記載する）と、下方を向く姿勢（「下方姿勢」と記載する）との間で、姿勢を変えることが可能である。図１は、双方の姿勢を同時に例示している。
【００３３】
図２は、小物入れ１０１の底面図である。また、図３は、容器１の背面付近の正面断面図である。小物入れ１０１の背面壁は、左右方向中央領域において、前方に向かって幾分後退した後退部５を成している。後退部５の下端は開放され、上端は天井７により塞がれている。後退部５は左右方向に延在し、上端は下端よりも左右方向の幅が狭くなっている。すなわち、後退部５の正面視輪郭は、略台形状である。後退部５の背面側端縁には、後退部５に向かって張り出す張り出し部９が、当該端縁に沿って形成されている。それにより、後退部５の左右両端部及び上端部には、溝１１が形成されている。
【００３４】
図４〜図６は、容器１を壁に着脱自在に装着するための取り付け板の構成を例示する図である。図４は斜視図であり、図５は正面図、図６はＢ−Ｂ断面図である。小物入れ１０１は、容器１及びタオル掛け３に加えて、図示される取り付け板１３をさらに有している。取り付け板１３も、一例として、容器１と同様に一体成型されたプラスチック製である。取り付け板１３が、ロッカーなどの家具の内壁面などの壁面に取り付けられ、容器１の溝１１（図３参照）に取り付け板１３を下方から受け入れ、溝１１が取り付け板１３と係合することにより、容器１が壁面に装着される。逆に容器１を壁面から取り外すことも可能である。着脱は、容器１を取り付け板１３に対してスライドさせるだけで足り、着脱に工具は不要である。
【００３５】
取り付け板１３の左右両端面及び上端面には、取り付け板１３の周方向に沿って伸びる筋状の突起１５が形成されている。この突起１５が、後退部５の溝１１（図３参照）に係合することにより、容器１が取り付け板１３に支持される。このため、突起１５の正面視輪郭は、後退部５に整合するように略台形状となっている。後退部５と突起１５の輪郭形状が、ともに略台形状であるために、溝１１に突起１５を迎え入れ易いという利点が得られる。
【００３６】
取り付け板１３は、背面が平坦である。このため、背面に両面粘着テープを貼着することにより、取り付け板１３を壁面に取り付けることが可能である。粘着テープに代えて、接着剤を背面に塗布してもよい。また、取り付け板１３には、ネジ穴１７が設けられている。図示例では、ネジ穴１７は左右に２箇所設けられている。このため、取り付け板１３は、壁面にネジ止めすることも可能である。取り付け板１３の正面には、一定の剛性を保ちつつ軽量化を図るために、リブ１９が縦横に配置されている。リブ１９同士の間には、隙間２１が形成されるので、これらの隙間２１の一部又は全部に、強力な磁石を貼着あるいは嵌め込むことにより、磁石の磁力により取り付け板１３を冷蔵庫の外壁面などに取り付けることも可能である。
【００３７】
図７は、タオル掛け３の斜視図である。タオル掛け３は、棒状体２３と、棒状体２３を支持する一対の腕部２５とを有している。棒状体２３は、タオル等が掛けられる棒状の部材であり、左右に延びている。一対の腕部２５は、棒状体２３の左右両端部に先端部が連結している。棒状体２３は、一例として管状のアルミニウム製である。図示例では、棒状体２３の断面形状は略矩形である。また、腕部２５は、一例として、容器１と同様に一体成型されたプラスチック製である。
【００３８】
図１に戻って、容器１は、容器本体２６と、容器本体２６の底面の左右両端部から下方に突出して、一対の腕部２５を支持する一対の支持部材２７を有している。図示例では、支持部材２７は、前後に延びる略矩形の板状である。支持部材２７は、腕部２５の基端部を回動自在に支持する。それにより、タオル掛け３は、下方姿勢と前方姿勢との間で回動可能である。小物入れ１０１を使用するときには、タオル掛け３が下方姿勢を取るようにして、タオル等を掛け易くし、小物入れ１０１が不要なときには、容器１を取り付け板１３から取り外しておくとともに、タオル掛け３が前方姿勢を取るようにして、タオル掛け３付きの容器１を嵩張らずに収納することが可能となる。
【００３９】
図８は、タオル掛け３の側面図である。図９は、小物入れ１０１の部分拡大側面図であり、支持部材２７の周囲を拡大して示している。また、図１０は、支持部材２７の拡大側面図である。タオル掛け３の腕部２５の基端部には、回動軸となる円柱状の突起２９が設けられている。この突起２９が、支持部材２７に設けられた孔３１に挿入されることにより、腕部２５は支持部材２７に回動自在に支持される。
【００４０】
腕部２５の基端部と先端部との中間の部位には、別の突起３３が設けられている。図示例では突起３３も円柱状である。支持部材２７には、タオル掛け３が下方姿勢から前方姿勢に移るように回動するときに、突起３３を下方から受け入れるように、支持部材２７の下面に開口する切り欠き３５が形成されている。切り欠き３５の辺縁部は、突起３３が切り欠き３５に進入し、奥に達するまでの中途において、突起３３を弾性的に押圧するように、切り欠き３５に向かって張り出した張り出し部３７を有している。このため、突起３３が張り出し部３７を通過し、タオル掛け３が前方姿勢に達すると、突起３は張り出し部３７によって係止され、その位置を保持する。すなわち、切り欠き３５は、張り出し部３７の奥に、突起３３と係合することにより突起３３を係止する係合部３８を有している。それにより、タオル掛け３は、前方姿勢を保持する。
【００４１】
タオル掛け３の棒状体２３（図７参照）を手指により下方に軽く押すと、突起３３は係合部３８による係止状態を脱して、下方に向かって移動する。このように、腕部２５と支持部材２７は、タオル掛け３が前方姿勢を保持するように、腕部２５を解除可能に保持する一種のスナップフィット構造を有している。
【００４２】
図８に例示するように、腕部２５の基端側端縁３９、すなわちタオル掛け３が前方姿勢にあるときの腕部２５の後部端縁（図８において腕部２５の右端縁）には、中央部に２つの突起４０が周方向に並んで設けられ、その間に凹陥部４１が形成されている。基端側端縁３９のうち、突起４０よりも上方の端縁４２の側面視輪郭は、突起２９を中心とする弧状である。一方、突起４０よりも下方の端縁４３の側面視輪郭は、鉛直に延びている。
【００４３】
図１０に例示するように、容器本体２６の底部のうち、支持部材２７に設けられる孔３１の上方に相当する部位には、前後方向に並ぶ２つの突起４５，４７が設けられている。図示例では、突起４７は突起４５よりも突出量が大きく設定されている。タオル掛け３を前方姿勢から下方姿勢に変えるときには、腕部２５は、先端部が基端部の前方に位置する水平姿勢から、先端部が基端部の下方に位置する垂直姿勢に移るように（すなわち、図１０において左回りに）、孔３１に支持される突起２９の周りに回動する。このとき、突起４５には、腕部２５の基端側端縁３９のうち、輪郭形状が弧状である端縁４２が当接するので、腕部２５の回動は突起４５によって妨げられない。
【００４４】
腕部２５が垂直姿勢に達する直前に、腕部２５の突起４０のうちの一つが、突起４５に当接する。腕部２５をさらに下方姿勢に向かって回動させると、突起４０が突起４５により弾性的に押圧される。腕部２５が垂直姿勢に達すると、突起４５は２つの突起４０の間の凹陥部４１に係合する。これによりタオル掛け３が、安定して下方姿勢に保持される。タオル掛け３の棒状体２３を手指により前方に引くと、腕部２５は突起４５による係止状態を脱して、前方に向かって回動する。このように、腕部２５と容器本体２６は、タオル掛け３が下方姿勢を保持するように、腕部２５を解除可能に保持する一種のスナップフィット構造を有している。
【００４５】
腕部２５が垂直姿勢にあるときには、同時に、腕部２５の基端側端縁３９のうち、端縁４３が、容器本体２６の底部の別の突起４７に当接する。これにより腕部２５が垂直姿勢を超えて、さらに回動し、タオル掛け３が下方姿勢よりもさらに後方に向かって回動することが回避される。すなわち、突起４７は腕部２５の過度な回動を阻止する制止部材として機能する。
【００４６】
図９に例示するように、タオル掛け３が前方姿勢にあるとき、棒状体２３及び腕部２５は、支持部材２７の下端縁から下方に突出しない。すなわち、一対の支持部材２７は、タオル掛け３が前方姿勢にある状態で、容器１が水平面４８に置かれたときに、下端縁が水平面４８に接して容器１を支持する形状をなしている。このため、容器１を取り付け板１３から取り外し、かつ、タオル掛け３を前方姿勢を取るようにすることにより、容器１を机上等に置いて、小物入れとして使用することができる。
【００４７】
図１１は、タオル掛け３に装着されたクリップの斜視図である。また、図１２は、同クリップの斜視図であり、図１３は、タオル掛け３に装着された同クリップの正面図である。図示例の通り、タオル掛け３は、棒状体２３にスライド可能に取り付けられたクリップ４９を、さらに有するのが望ましい。クリップ４９は、一例として一体成型されたプラスチック製である。クリップ４９は、互いに連結したクリップ基部５１とクリップ腕部５３とを有している。クリップ基部５１は、貫通孔５５を有している。クリップ基部５１は、貫通孔５５に棒状体２３が挿通されることにより、棒状体２３にスライド可能に取り付けられる。図示例では、棒状体２３と貫通孔５５の断面形状が、ともに矩形であるので、クリップ基部５１は、棒状体２３の軸周りに回転しない。
【００４８】
クリップ腕部５３は、クリップ基部５１から棒状体２３に沿って延びている。図示例では、クリップ腕部５３は、クリップ基部５１に連結する基端部位と、クリップ基部５１から最も遠い先端部位とのいずれよりも、それらの中間部において、棒状体２３との距離が小さくなるように湾曲している。図示例では、クリップ腕部５３は、最も棒状体２３に近接する部位においても、棒状体２３との間に隙間を保っている。これに対して、クリップ腕部５３は、通常は棒状体２３に接していて、手指で力を加えることにより、棒状体２３との間に隙間を形成するように弾性的に変形しても良い。クリップ腕部５３が棒状体２３に接する形態においても、クリップ腕部５３は、基端部位と先端部位とのいずれよりも、中間部において棒状体２３との距離が小さいことに変わりはない。クリップ４９が設けられることにより、棒状体２３に掛けられたタオル等を、クリップ４９に挟んで押さえておいたり、鍵５７などの小物を吊り下げるリングや紐体を、クリップ基部５１に近いクリップ腕部５３の基端部位に吊しておいたりすることができる。
【００４９】
（その他の実施の形態）
図８及び図１０には、腕部２５に凹陥部４１が形成され、容器本体２６に突起４５が設けられている例を示した。これに対して、腕部２５に突起４５を設け、容器本体２６に凹陥部４１を設けても良い。さらに、容器本体２６に代えて、支持部材２７に、凹陥部４１又は突起４５を設け、腕部２５の対応する部位に、突起４５又は凹陥部４１を設けても良い。また、突起４７に代えて、腕部２５を制止する制止部材を、支持部材２７に設けてもよい。
【００５０】
図１１及び図１２には、クリップ４９が回転しないために、棒状体２３の断面形状が略矩形である例を示した。これに対して、棒状体２３の断面形状として、楕円形、或いは軸方向に沿った線状の溝が形成された円形など、を採用し、クリップ基部５１の貫通孔５５が、棒状体２３の断面形状に対応する断面形状を成すようにしてもよい。
【符号の説明】
【００５１】
１  容器、  ３  タオル掛け、  ５  後退部、  ７  天井、  ９  張り出し部、  １１  溝、  １３  取り付け板、１５  突起  、  １７  ネジ穴、  １９  リブ、  ２１  隙間、  ２３  棒状体、  ２５  腕部、  ２６  容器本体、  ２７  支持部材、  ２９  突起、  ３１  孔、  ３３  突起、  ３５  切り欠き、  ３７  張り出し部、  ３８  係合部、  ３９  基端側端縁、  ４０  突起、  ４１  凹陥部、  ４２，４３  端縁、  ４５，４７  突起、  ４８  水平面，  ４９  クリップ、  ５１  クリップ基部、  ５３  クリップ腕部、  ５５  貫通孔、  １０１  小物入れ。
【図１】
0003228505.tif 000003
【図２】
0003228505.tif 000004
【図３】
0003228505.tif 000005
【図４】
0003228505.tif 000006
【図５】
0003228505.tif 000007
【図６】
0003228505.tif 000008
【図７】
0003228505.tif 000009
【図８】
0003228505.tif 000010
【図９】
0003228505.tif 000011
【図１０】
0003228505.tif 000012
【図１１】
0003228505.tif 000013
【図１２】
0003228505.tif 000014
【図１３】
0003228505.tif 000015